(57)【要約】      （修正有）【課題】小型電子機器を効率よく収納可能な収納部材。【解決手段】電子機器を載置する為の平面状の第１領域と、当該第１領域の両側に第１平面と第２平面とを有し、第１平面には、切り口が略凸形状の第１開口が形成され、第２平面には、切り口が略四角形の第２開口が形成され、第１平面は、前記第１領域と接続された第２領域、第２領域と接続された第３領域、第３領域と接続された第４領域、第４領域と接続された第５領域からなり、第１開口は第３領域から第４領域を介して第５領域まで延在し、前記第２平面は、第１領域と接続された第６領域、第６領域と接続された第７領域、第７領域と接続された第８領域、第８領域と接続された第９領域とからなり、前記第２開口は第８領域から第９領域まで延在し、第３領域に第５領域が重なるように折り曲げ電子機器を係止するための第１係止部を形成し、第７領域に第９領域が重なるように折り曲げて第２係止部を形成した。【選択図】図３
2011121624.tif 000002
【特許請求の範囲】
【請求項１】
電子機器を載置する為の平面状の第１領域と、当該第１領域の両側に存在する第１平面と第２平面とを有し、
前記第１平面には、切り口が略凸形状の第１開口が形成され、
前記第２平面には、切り口が略四角形の第２開口が形成され、
前記第１平面は、前記第１領域と接続された第２領域、当該第２領域と接続された第３領域、当該第３領域と接続された第４領域、当該第４領域と接続された第５領域と、からなり、前記第１開口は、前記第３領域から第４領域を介して第５領域まで延在し、
前記第２平面は、前記第１領域と接続された第６領域、当該第６領域と接続された第７領域、当該第７領域と接続された第８領域、当該第８領域と接続された第９領域と、からなり、前記第２開口は、前記第８領域から第９領域まで延在し、
前記第３領域に前記第５領域が重なるように折り曲げることにより、前記電子機器を係止するための第１係止部を形成すると共に、
前記第７領域に前記第９領域が重なるように折り曲げることにより、前記電子機器を係止するための第２係止部を形成したことを特徴とする包装部材。
【請求項２】
請求項１に記載の包装部材であり、
前記第１領域に電子機器を載置した状態で、
前記第１領域に前記第９領域が重なるように折り曲げると共に、前記第１領域に前記  第５領域が重なるように折り曲げることにより、前記電子機器を前記第１係止部と前記第２係止部に係止させることを特徴とする包装部材。
【発明の詳細な説明】
【技術分野】
【０００１】
本発明は小型の電子機器等を包装する為の包装部材に関する。
【背景技術】
【０００２】
包装箱に関する特許文献が数多く公開されており、例えば、特許文献１には、内ケースをスライドし外ケースから着脱することが可能なスライドカートンが開示されている。
【先行技術文献】
【特許文献】
【０００３】
【特許文献１】特開２００２−２２５８４４号公報
【発明の概要】
【発明が解決しようとする課題】
【０００４】
しかしながら、小型の電子機器（例えば、電卓やＩＣカード等）を包装する際には、電子機器を固定するための例えばスポンジやプラスチック等で形成された部材を配置する為のスペースが必要となる。
上記特許文献１に記載の包装箱に、例えばＩＣカードといった小型の電子機器を挿入しようとすると、先ほど述べたように電子機器を固定するためのスポンジやプラスチック等で形成された部材を配置するスペースが必要となり、特許文献１に記載の技術を用いても上述した問題は解決されていない。
【課題を解決するための手段】
【０００５】
本発明はこのような課題を解決するためのものであり、請求項１に記載の発明は、電子機器を載置する為の平面状の第１領域（領域Ｊ）と、当該第１領域（領域Ｊ）の両側に存在する第１平面（領域Ｆ〜Ｉ）と第２平面（領域Ｋ〜Ｎ）とを有し、前記第１
平面（領域Ｉ〜Ｆ）には、切り口が略凸形状の第１開口（８）が形成され、前記第２
平面（領域Ｋ〜Ｎ）には、切り口が略四角形の第２開口（９）が形成され、前記第１平面（領域Ｉ〜Ｆ）は、前記第１領域（領域Ｊ）と接続された第２領域（領域Ｉ）、
当該第２領域（領域Ｉ）と接続された第３領域（領域Ｈ）、当該第３領域（領域Ｈ）
と接続された第４領域（領域Ｇ）、当該第４領域（領域Ｇ）と接続された第５領域（領域Ｆ）と、からなり、前記第１開口（８）は、前記第３領域（領域Ｈ）から第４領域（領域Ｇ）を介して第５領域（領域Ｆ）まで延在し、前記第２平面（領域Ｋ〜Ｎ）は、前記第１領域（領域Ｊ）と接続された第６領域（領域Ｋ）、当該第６領域（領域Ｋ）と接続された第７領域（領域Ｌ）、当該第７領域（領域Ｌ）と接続された第８領域（領域Ｍ）、当該第８領域（領域Ｍ）と接続された第９領域（領域Ｎ）と、からなり、前記第２開口（９）は、前記第８領域（領域Ｍ）から第９領域（領域Ｎ）まで延在し、前記第３領域（領域Ｈ）に前記第５領域（領域Ｆ）が重なるように折り曲げることにより、前記電子機器を係止するための第１係止部（１３）を形成すると共に、前記第７領域（領域Ｌ）に前記第９領域（領域Ｎ）が重なるように折り曲げることにより、前記電子機器を係止するための第２係止部（１４）を形成したことを特徴とする包装部材。
請求項２に記載の発明は、請求項１に記載の包装部材であり、前記第１領域（領域Ｊ）に電子機器を載置した状態で、前記第１領域（領域Ｊ）に前記第９領域（領域Ｎ）が重なるように折り曲げると共に、前記第１領域（領域Ｊ）に前記第５領域（領域Ｆ）が重なるように折り曲げることにより、前記電子機器を前記第１係止部（１３）と前記第２係止部（１４）に係止させることを特徴とする包装部材。
尚、上記カッコ内の領域は、実施例において対応する箇所、特に図３、図４において図示する対応箇所を示している。
【発明の効果】
【０００６】
本発明は、電子機器等の包装作業を容易にし、尚且つ電子機器を挟持しつつも外へ容易に外れない構造とし、更には外部から電子機器が存在していることを容易に確認できるという効果を奏するものである。
【図面の簡単な説明】
【０００７】
【図１】本発明を適用してなる実施例の斜視図である。
【図２】ケース２の展開図である。
【図３】包装部材１の展開図である。
【図４】包装部材１の平面図である。
【図５】包装部材１の平面図である。
【図６】本実施例の斜視図である。
【図７】本実施例の斜視図である。
【図８】本実施例の斜視図である。
【発明を実施するための形態】
【０００８】
次に、本発明を適用してなる一実施例について詳細に説明する。本実施例装置では、電卓と電卓を駆動させるための電池を包装するための包装箱について実施するが、電池と電子機器を包装するための包装箱であれば他の電子機器の包装箱についても同様に実施可能である。
【実施例】
【０００９】
図１は本実施例装置である包装箱の斜視図を示している。図１において、包装箱はケース２と包装部材１とからなり、ケース２は厚紙から、包装部材１はダンボールから形成されている。
又、包装部材１の略長方形の開口部分からは電子機器（例えば、電卓３）が見えている。
又、包装部材１の略半月状の開口部分からはボタン電池４が見えている。このように、図１に示す包装部材１は電卓３とボタン電池４を包装するための部材である。更に、図１のケース２に示す第１開口５は、ユーザがケース２から包装部材１を取り出す際に包装部材１を指で摘む為の開口部分であり、第２開口６は包装部材１の凸部７を係合させる為の開口部分である。包装部材１をケース２内に挿入する（包装部材１を図１中矢印方向に挿入する）と、包装部材１の凸部７がケース２の第２開口６へ係合し、包装部材１が容易にケース２から外れないようになっている。尚、ケース２の両端は開口されている。
更に包装部材１をケース２へ挿入する際の動作について具体的に説明する。図１に示すように、ケース２は包装部材１を挿入する方向へ空洞となっており、且つ、空洞の少なくとも一側面には開口６が形成されている。
図１の矢印方向へ包装部材１を前記ケース２へ挿入すると、ケース２は紙で出来ている為、その弾性力によりケース２の一側面が包装部材１の凸部７により外方へ広がり、更に挿入を続けると凸部７がケース２の一側面内側を摺動し、更に包装部材１を挿入し続けると、包装部材１の凸部７が前記ケース２の開口６へと係合する。
続いて、図１の矢印方向と反対方向へ包装部材１が押し出されると（即ち、ユーザが第１開口の存在する部分から指で図１の矢印方向と反対方向へ向かって包装部材１を押し出すと）、凸部７の開口６への係合が解除され、更に押し出し続けると凸部７が前記ケース２の一側面内側を摺動（包装部材１が図１中矢印と反対方向へ摺動する）し、包装部材１がケース２から押し出される。
尚、このときユーザが第１開口部分をつまんで包装部材１を図１中矢印方向に引っ張った場合でも、同様に凸部７の開口６への係合が解除され、包装部材１をケース２から取り外すことが可能となる。
図２は図１に示すケース２の展開図である。図２において、ケース２は、ａの長さ（縦の長さ）が１２９ｍｍ、ｂの長さ（横の長さ）が２１６ｍｍ、ｃの長さが８７ｍｍ、ｄの長さが１１ｍｍ、ｅの長さが２０ｍｍとなっており、領域Ａ、Ｂ、Ｃ、Ｄ、Ｅから成っている。又、領域Ａと領域Ｃの一端にはユーザが包装部材１を取り出す際に包装部材１を持つための第１開口５が設けられており、第１開口５の半径は１０ｍｍとなっている。
図２に示すケース２をＡの領域とＢの領域の境界部分、Ｂの領域とＣの領域の境界部分、Ｂの領域とＣの領域の境界部分、Ｃの領域とＤの領域の境界部分、Ｄの領域とＥの領域の境界部分で、Ａの領域とＣの領域が対向すると共にＢの領域とＤの領域が対向するように折畳むと、ケース２は図１に示すような形状となる。但し、このとき、図２の領域Ｅは領域Ａの内側となるように折畳む。又、領域Ｅに例えば接着剤等を塗ることにより、領域Ｅと領域Ａを互いに接着させることが可能である。
又、図２に示すカバーには第２開口６が設けられており、この第２開口６は横幅１４ｍｍ、高さ幅が３ｍｍの開口となっている。
【００１０】
図３は図１に示す包装部材１の展開図である。図３において、包装部材１は横幅（図３中ｆの長さ）が４０２ｍｍであり、縦幅（図３中ｇ）が８６ｍｍである。又、包装部材１は図３中右から左へ向かって、領域Ｆ、Ｇ，Ｈ、Ｉ、Ｊ、Ｋ、Ｌ、Ｍ、Ｎから成る。領域ＦからＨに渡って、切り口が略凸形状の第３開口８が形成されており、領域ＭからＮに渡って切り口が略長方形の第４開口９が形成されている。又、領域Ｌには略半月状の第５開口１０が、領域Ｎには切り口が略円状の第６開口１１が形成されており、第６開口１１はボタン電池４を配置する為の領域であり、第５開口１０はボタン電池４が配置されていることを外部から見ると共に、ボタン電池４が外へ抜け落ちないようにするための開口部分である。更に、領域Ｋには第７開口１２が形成されており、第７開口１２は、包装部材１をケース２内に挿入した状態でも外部からボタン電池４が入っていることを確認可能とする為の開口部分である。
【００１１】
図３において、凸部７の領域Ｊ内方側には、略長方形の第８開口１６が形成されている。この第８開口１６は、包装部材１をケース２に挿入する際に、凸部７が包装部材１内方へ撓むようにするための開口である。具体的には、後ほど詳細に説明するが、包装部材１をケース２に装入する際に、凸部７は、ケース２内壁に当接し、第８開口１６の開口幅（図３の包装部材１の短手方向の幅）分凸部７が領域Ｊ方向に撓む。
又、この第８開口１６の長さ（包装部材１の長手方向の長さ）は凸部７の長さ（包装部材１の長手方向の長さ）よりも長くなっている。尚、第８開口の長さ（包装部材１の長手方向の長さ）は凸部７の長さ（包装部材１の長手方向の長さ）と略同一としても良い。
【００１２】
図４は、図３に示す領域Ｆを、領域Ｇと領域Ｈの境界線（領域Ｇと領域Ｈの境界部分に存在する破線部分）と領域Ｇと領域Ｆの境界線（領域Ｇと領域Ｆの境界部分に存在する破線部分）を折り目として図３中Ａの方向に折り曲げると共に、図３に示す領域Ｎを、領域Ｌと領域Ｍの境界線（領域Ｌと領域Ｍの境界部分に存在する破線部分）と領域Ｍと領域Ｎの境界線（領域Ｍと領域Ｎの境界部分に存在する破線部分）を折り目として図３中Ｂの方向に折り曲げた際の状態を示す図である。図４において、領域Ｈの開口部分が領域Ｆの開口部分よりも狭いために、図３の状態から図４の状態に包装部材１を折り曲げると、電卓３が外へ外れないようにする為の略コの字状の第１係止部１３（斜線部分）が形成され、この第１係止部１３に電卓３が嵌るようになっている。又、図３の状態から図４の状態に包装部材１を折り曲げると、領域Ｎが領域Ｌに重なり、電卓３が外へ外れないようにする為の第２係止部１４（斜線部分）が形成され、この第２係止部１４に電卓３が嵌るようになっている。
【００１３】
又、領域Ｎが領域Ｌに重なると、略半月状の第５開口１０と略円状の第６開口１１とが重なり、ボタン電池４を係止するための電池係止部１５が形成される。
【００１４】
図５は、図４に示す領域Ｆを、領域Ｊと領域Ｉの境界線（領域Ｊと領域Ｉの境界部分に存在する破線部分）と領域Ｉと領域Ｈの境界線（領域Ｉと領域Ｈの境界部分に存在する破線部分）とを折り目として、図４に示すＣの方向に折り曲げると共に、図４に示す領域Ｎを、領域Ｊと領域Ｋの境界部分（領域Ｊと領域Ｋの境界部分に存在する破線部分）と領域Ｋと領域Ｌの境界部分（領域Ｋと領域Ｌの境界部分に存在する破線部分）とを折り目として、図４に示すＤの方向に折り曲げた状態を示す図である。
電卓３とボタン電池４を包装部材１に包装する際の手順を特に図６〜図８を用いて具体的に以下に説明する。まず、図４の状態で、図４の領域Ｎを先ほど説明したように図４中Ｄ方向へ折畳み、続いて図６に示すように電卓３を図６中矢印方向へ挿入する。続いて、図４に示す領域Ｆを先ほど述べたように図４中Ｃ方向へ折畳むと、図７に示すように、電卓３が包装部材１により挟持された状態となる（具体的には、電卓３の両端が第１係止部１３と第２係止部１４に係止される）。続いて、ボタン電池４を開口部分が略三日月形状の第５開口１０へスライドさせるように挿入することにより、図８に示すようにボタン電池４が電池係止部１５に係止される。
このように、図４の状態から図７又は図８の状態に包装部材１を折畳むと、電卓３の両端が第１係止部１３と第２係止部１４により係止され、電卓３が外に外れないようになると共に、図５に示す様に包装部材１の中心部分が開口している為、外から電卓３が入っていることを確認することができる。
又、先ほど述べたようにボタン電池４を略半月状の第５開口１０へ向けスライドして挿入すると、領域Ｊと領域Ｌとの間にボタン電池４が挟持され、ボタン電池４の高さが略領域Ｍ又は領域Ｋの幅（短手方向の幅）と同じであれば、がたつくことなく、ボタン電池４が収納されることになる。
【００１５】
更に、略半月状の第５開口１０が存在するために、外部からボタン電池４が存在していることを確認することが可能である。
【００１６】
続いて、包装部材１をケース２へ挿入する際の動作について具体的に説明する。先ほど図１を用いて説明したが、図８に示すように、図８の矢印方向へ包装部材１をケース２へ挿入すると、ケース２は紙で出来ている為、その弾性力によりケース２の一側面が包装部材１の凸部７により外方へ広がり、更に挿入を続けると凸部７がケース２の一側面内側を摺動し、更に包装部材１を挿入し続けると、包装部材１の凸部７が前記ケース２の開口６へと係合する。
尚、包装部材１をケース２へ挿入する際に、第８開口１６が存在するために、凸部７が領域Ｊ内方へ撓むようになっている。具体的には、包装部材１をケース２に装入する際に、凸部７はケース２内壁に当接し、ケース２による凸部７へケース２内方への力が加わり、凸部７は、第８開口１６の開口幅（図３の包装部材１の短手方向の幅）分領域Ｊ方向に撓む。
続いて、図８の矢印方向と反対方向へ包装部材１が押し出されると（即ち、ユーザが第１開口５の存在する部分から指で図８の矢印方向と反対方向へ向かって包装部材１を押し出すと）、凸部７の開口６への係合が解除され、更に押し出し続けると凸部７が前記ケース２の一側面内側を摺動（包装部材１が図８中矢印と反対方向へ摺動する）し、包装部材１がケース２から押し出される。
尚、このときユーザが第１開口５の部分をつまんで包装部材１を図８中矢印方向に引っ張った場合でも、同様に凸部７の開口６への係合が解除され、包装部材１をケース２から取り外すことが可能となる。
本実施例の包装部材１とケース２では、包装部材１をケース２に挿入した状態でも第７開口１２を見ることにより、包装部材１に電池が収納されているか否かを確認することが可能である。
【００１７】
又、本実施例の包装部材１とケース２では、ボタン電池４と電卓３を包装した包装部材１を図８に示すケース２に挿入することにより、ボタン電池４と電卓３を収納することが可能である。又、包装部材１をケース２に挿入した状態では、第７開口１２が露出している為に、外方から電池が存在していることを確認することが可能である。
【００１８】
尚、本実施例では電子機器として電卓３を使用したが、無線通信を行う為の小型カード等、電池を搭載して使用するものであれば同様に実施可能である。
【符号の説明】
【００１９】
１  包装部材
２  ケース
３  電卓
４  ボタン電池
５  第１開口
６  第２開口
７  凸部
８  第３開口
９  第４開口
１０  第５開口
１１  第６開口
１２  第７開口
１３  第１係止部
１４  第２係止部
１５  電池係止部
１６  第８開口
【図１】
2011121624.tif 000003
【図２】
2011121624.tif 000004
【図３】
2011121624.tif 000005
【図４】
2011121624.tif 000006
【図５】
2011121624.tif 000007
【図６】
2011121624.tif 000008
【図７】
2011121624.tif 000009
【図８】
2011121624.tif 000010